(57)【要約】【課題】  センタードームの分割共振を分散させ、高域周波数特性の音圧を下げ、音質を良好としたスピーカ用振動板およびこの振動板を備えたスピーカを提供する。【解決手段】  スピーカ用振動板のセンタードームに、分割共振を分散させ高域周波数特性の音圧を下げる複数のリブまたは溝を軸対称または非軸対称で設けた構成とした。【選択図】  図１
2007081901.tif 000002
【特許請求の範囲】
【請求項１】
スピーカ用振動板のセンタードームに、分割共振を分散させ高域周波数特性の音圧を下げる複数のリブまたは溝を軸対称または非軸対称で設けたことを特徴とするスピーカ用振動板。
【請求項２】
請求項１記載のスピーカ用振動板において、複数のリブまたは溝は、互いに等間隔または不等間隔でほぼ平行に配置されたことを特徴とするスピーカ用振動板。
【請求項３】
請求項１記載のスピーカ用振動板において、複数のリブまたは溝は２つのリブまたは溝からなり、互いに間隔をあけ非平行で配置されたことを特徴とするスピーカ用振動板。
【請求項４】
請求項１記載のスピーカ用振動板において、複数のリブまたは溝は、前記センタードームの中心の周りにほぼ矩形をなすように配置されたことを特徴とするスピーカ用振動板。
【請求項５】
請求項１〜４いずれか記載のスピーカ用振動板を備えてなることを特徴とするスピーカ。
【発明の詳細な説明】
【技術分野】
【０００１】
この発明は、パソコン、携帯電話、車載ＥＴＣ等に使用されるスピーカ用振動板およびこの振動板を備えたスピーカに関する。
【背景技術】
【０００２】
スピーカ用振動板としては、図１０に示すように、中央部に防塵用カバー２’があり、その外周部にボイスコイル接合部３’を介し振動板胴部４’が一体形成されたタイプのものがある。
【０００３】
この中央部分の防塵用カバー２’の形状としては、軸対称性を有するドーム形が主流となっている（以下、防塵用カバー２’をセンタードーム２’という）。
【０００４】
このスピーカ用振動板１’は、図１１に示すように、センタードーム２’と振動板胴部間とのボイスコイル接合部３’の背面にボイスコイル１０の一端が結合され、このボイスコイル１０によってスピーカ用振動板１’を駆動するようにしている。しかし、センタードーム２’と振動板胴体４’との間のボイスコイル接合部３’の強度が弱いため、撓み易く、結果、振動板全体が均一に上下振動せず、所望の周波数特性が得られない、という欠点がある。
【０００５】
このため、改善の一手段として、図１２Ａ、Ｂに示すように、センタードーム２’と振動板胴体４’との間のボイスコイル接合部３’に補強用のリブ１００を放射状に等間隔で設けたものがある。
【０００６】
このようなリブ１００を設けた先行例としては、例えば下記特許文献１〜３が存在する。
【特許文献１】実開昭６１-３７６８９
【特許文献２】実開昭４１-１５２８３
【特許文献３】実開昭５６-７４５９５
【発明の開示】
【発明が解決しようとする課題】
【０００７】
しかしながら、上記のスピーカ用振動板では、センタードーム２’と振動板胴体４’との間のボイスコイル接合部３’の強度はその部分に設けたリブ１００によって向上するため、ボイスコイル１０の振動を確実にスピーカ用振動板へ伝達して駆動することはできるが、センタードーム２’の形状は単に軸対称のドーム状に形成されているため、各部の分割共振が同時にたくさん起き、それらが集まって大きな共振となるため、中高域の音圧レベルが上昇してしまいバランスの悪い周波数特性となってしまう、という課題がある。
【０００８】
この発明は上記のことに鑑み提案されたもので、その目的とするところは、センタードームの分割共振を分散させ、高域周波数特性の音圧を下げ、音質を良好としたスピーカ用振動板およびこの振動板を備えたスピーカを提供することにある。
【課題を解決するための手段】
【０００９】
請求項１記載の発明は、スピーカ用振動板のセンタードームに、分割共振を分散させ高域周波数特性の音圧を下げる複数のリブまたは溝を軸対称または非軸対称で設けたことを特徴とする。
請求項２記載の発明は、請求項１記載のスピーカ用振動板において、複数のリブまたは溝は、互いに等間隔または不等間隔でほぼ平行に配置されたことを特徴とする。
請求項３記載の発明は、請求項１記載のスピーカ用振動板において、複数のリブまたは溝は２つのリブまたは溝からなり、互いに間隔をあけ非平行で配置されたことを特徴とする。
請求項４記載の発明は、請求項１記載のスピーカ用振動板において、複数のリブまたは溝は、前記センタードームの中心の周りにほぼ矩形をなすように配置されたことを特徴とする。
請求項５記載の発明は、請求項１〜４いずれか記載のスピーカ用振動板を備えてなることを特徴とするスピーカである。
【発明の効果】
【００１０】
請求項１〜５記載の発明によれば、センタードーム内に、複数のリブまたは溝を設けたため、センタードームの剛性を向上し、かつ一方では分割共振の集中をリブまたは溝によって抑えることができ、分割共振を分散できるので、高域周波数特性の音圧を下げ、低域〜高域にわたってバランスの良い平坦な周波数特性を実現できる。
【発明を実施するための最良の形態】
【００１１】
以下、図面に沿って本発明の実施例を説明する。
【００１２】
［実施の形態１］
図１Ａは本発明の第１実施例に係るスピーカ用振動板の平面図、図１Ｂは斜視図を示す。
【００１３】
このスピーカ用振動板１は樹脂の成形品からなり、中央部のほぼドーム形をなすセンタードーム２と、このセンタードーム２の外周にボイスコイル接合部３を介し一体に形成された振動板胴体４と、この振動板胴体４の外周に一体に形成されたエッジ５とを備え、エッジ５の外周はフレーム接合部５ａとなっている。
【００１４】
図１において、２点鎖線は前方に向って弧状に突出し、湾曲形成された振動板胴体４の頂部６を示す。
【００１５】
この第１実施例では、図１の平面図から見た状態を正面図とすると、センタードーム２は、正面から見ると円形をなし、その外周２ａの内側には、背面側に向って突出する複数本のリブが設けられている。この実施例では断面ほぼＶ字状の第１〜第３の３本のリブ７〜９が互いに等間隔を置いて、ほぼ平行に配置され、軸対称に配置されたことに特徴を有している。
【００１６】
３本のリブ７〜９のうち中央部の第１のリブ７の長さは一番長く、センタードーム２の中心（頂部）Ｏを通ってセンタードーム２の外周２ａの一端部ａから反対側の他端部ｂにかけて図１の平面視の状態において直線状に設けられている。
【００１７】
その両側に第１のリブ７に対し等間隔を介して中央の第１のリブ７より長さが短い第２、第３のリブ８、９が中心Ｏから放射状にならない位置でそれぞれ配置されている。
【００１８】
これらの第２、第３のリブ８、９もセンタードーム２の外周２ａの一端部ｃ、ｅから反対側の他端部ｄ、ｆにかけて設けられ、第２、第３のリブ８、９の長さは等しく形成されている。また、第１〜第３のリブ７〜９の各端は先細になっている。このように先細としたのは、スピーカ用振動板１の上下振幅時に可能な限り大きな振幅／高耐入力（音圧向上）を確保するためである。また、それにより、限りなくスピーカを薄型タイプに出来るためである。また、振動板の金型加工上の容易化、単純化のためである。
【００１９】
図２は上記スピーカ用振動板１が組み込まれたスピーカの断面図を示す。
【００２０】
スピーカ用振動板１のセンタードーム２と振動板胴体４との間に設けられたボイスコイル接合部３の背面には円筒状のボイスコイル１０の一端が接着剤によって接合されている。
【００２１】
ボイスコイル１０の他端部側は磁気回路１１の磁気ギャップ１２に設けられている。
【００２２】
磁気回路１１は、円板状のマグネット１３と、その上部に設けられたポールピース１４と、マグネット１３の背面側に設けられたヨーク兼フレーム１５とからなり、ポールピース１４の外周面と、この外周面と対向するヨーク兼フレーム１５の立ち上がった部分の内周面との間に磁気ギャップ１２が設けられ、この磁気ギャップ１２に、前述のように、ボイスコイル１０が位置している。
【００２３】
ヨーク兼フレーム１５はフレームを兼用し、フレームとしても機能する。
【００２４】
ヨーク兼フレーム１５の外周部にはリング状のガスケット１６を介しスピーカ用振動板１のエッジ５が支持されている。また、ヨーク兼フレーム１５には音孔１７が設けられている。
【００２５】
次に動作について説明する。
【００２６】
ボイスコイル１０に音声電流を加えると、磁気ギャップ１２に置かれたボイスコイル１０は振動し、この振動はボイスコイル接合部３からセンタードーム２、振動板胴体４に伝達され、スピーカ用振動板１は振動し、音を放射する。
【００２７】
この場合、センタードーム２が振動した際、センタードーム２には第１〜第３のリブ７〜９が設けられているため、ある部分では剛性が増し、別のある部分では弾性が増し、また別のある部分では剛性と弾性が重なりバランスを持ちながらそれぞれ異種の共振状態が作り出されるので、これらの第１〜第３のリブ７〜９によってセンタードーム２の分割共振が集中することがなく、分散され、高域周波数特性の音圧を下げ、低域〜高域にわたってバランスの良い平坦な周波数特性を実現することができ、音質が良好となる。また、第１〜第３のリブ７〜９の各端部は、センタードーム２の外周２ａにまでそれぞれ延びているため、分割共振を確実に分散させることができる。
【００２８】
すなわち、各リブの先端が外周２ａまで延びていない場合、各リブの先端と外周２ａとの間に従来例と同様に軸対称モードの分割共振が発生するが、本発明では各リブの先端を外周２ａまで延ばしているため、そのようなことはない。
【００２９】
図３は、本発明のスピーカ用振動板１が組み込まれた口径（口径２．８ｃｍ、厚さ５ｍｍ）の小型であって薄型のスピーカと、図１１に示したリブの無い従来例のスピーカとの周波数特性を示す。実線Ａは本発明品、破線Ｂは従来品を示す。従来品Ｂでは異常共振して高域側の音圧が高くなる。本発明品Ａによれば、従来品Ｂに比べ高域側の音圧が下がり、全体にわたってバランスの良い平坦な周波数特性を得ることができる。
【００３０】
図４は、図１２Ａ、Ｂにおいてリブ１００のないスピーカ用振動板が組み込まれたスピーカと、図１２Ａ、Ｂに示すようにリブ１００を設けたスピーカとの周波数特性を示す。破線Ｃはリブ１００のないタイプ、実線Ｄはリブ１００のあるタイプを示す。リブ１００は、ボイスコイルが結合されるスピーカ用振動板の連結部に設けられ、リブ１００の主な働きは連結部を補強する機能であり、センタードーム２’の分割共振を積極的に分散させるものでないため、リブ付きのものでも高域側の周波数特性の音圧を下げることはできない。
【００３１】
これに対し、本発明品はセンタードーム２内に設けた複数のリブによって、センタードーム２の分割共振の集中を抑え、図３Ａに示すように、良好な特性を得ることができる。
【００３２】
［実施の形態２］
図５は本発明の第２実施例を示す。この第２実施例においても、リブは第１〜第３のリブ７Ａ〜９Ａからなる。但し、中央部の第１のリブ７Ａはセンタードーム２の中心Ｏからズレた位置とし、第１のリブ７Ａに対し、第２、第３のリブ８Ａ、９Ａの間隔は不等間隔となっている。
【００３３】
図示例では、第１のリブ７Ａは図示の状態において右側に位置する第２のリブ８Ａ側に寄っているが、この逆に第３のリブ９Ａ側に寄せても良い。
【００３４】
各第１〜第３のリブ７Ａ〜９Ａの各端部は、平面から見た場合、センタードーム２の外周２ａの一点から反対側の他点にわたって直線的に延び、互いにほぼ平行に配置されている。
【００３５】
［実施の形態３］
図６は本発明の第３実施例を示す。この第３実施例では、互いに長さが等しくセンタードーム２の外周２ａの一点から他点にかけて平面から見て直線状に延びる第１、第２の２つのリブが間隔をあけて非平行（平行でないこと）の状態で斜めに延び、非軸対称で配置されている。
【００３６】
そして、各リブ７Ｂ、８Ｂの一端７ｂ、８ｂ間の間隔ｌ１と他端７ｂ’、８ｂ’間の間隔ｌ２は、間隔ｌ１＜間隔ｌ２、となっている。
【００３７】
すなわち、換言すると、第１、第２のリブ７Ｂ、８Ｂは、スピーカ用振動板１を正面から見た場合において、八字形、つまり下底に対しバランス良く上底が配置され、右辺と左辺の長さが等しい代表的な形状の台形の右辺と左辺のように末広がりのテーパ状に配置されている。
【００３８】
［実施の形態４］
図７は本発明の第４実施例を示す。この第４実施例では、第１、第２のリブは間隔をあけて非平行に配置され、かつ各リブの長さが異なっている点が第３実施例と相違している。
【００３９】
すなわち、長い方の第１のリブ７Ｃの一端、他端はセンタードーム２の外周２ａにわたって、図示の状態において、右側から左側斜め下方外側に向って延びている。
【００４０】
短い方の第２のリブ８Ｃの一端は、図示の状態においてセンタードーム２の中心Ｏの上部に位置し、かつ第１のリブ７Ｃと離間し、他端は斜め右側下方に向って延び外周２ａまで達している。
【００４１】
このようにして、第１、第２のリブ７Ｃ、８Ｃは変形のほぼ八字形に配置されている。
【００４２】
［実施の形態５］
図８は本発明の第５実施例を示す。この実施例では、スピーカ用振動板１のセンタードーム２の外周２ａの内側に、センタードーム２と同一中心Ｏの円軌跡２’上に、互いにその接線方向に延びる第１〜第４の複数本のリブ７Ｄ〜１０Ｄをほぼ四角形状に配置し、軸対称に配置している。
【００４３】
すなわち、第１のリブ７Ｄの一端はセンタードーム２の外周２ａ上に位置し、第１のリブ７Ｄの他端は第２のリブ８Ｄのほぼ中央部に位置している。
【００４４】
第２のリブ８Ｄの一端は外周２ａ上に位置し、第２のリブ８Ｄの他端は第３のリブ９Ｄのほぼ中央部に位置している。
【００４５】
第３のリブ９Ｄの一端は外周２ａ上に位置し、第３のリブ９Ｄの他端は第４のリブ１０Ｄのほぼ中央部に位置している。
【００４６】
第４のリブ１０Ｄの一端は外周２ａ上に位置し、第４のリブ１０Ｄの他端は第１のリブ７Ｄのほぼ中央部に位置している。
【００４７】
このように、各第１〜第４のリブ７Ｄ〜１０Ｄは、センタードーム２の外周２ａ内であって中心Ｏの周りに軸対称でもってほぼ四角形状に配置されている。
【００４８】
第２〜第５実施例では各リブは非軸対称で、かつセンタードーム２の中心Ｏから放射状にならない方向に延びている。これらの第２〜第５実施例においても、第１実施例とほぼ同様の作用効果を得ることができる。すなわち、各リブを追加しセンタードーム２を非軸対称形状とすることで、軸対称モードの分割共振が分散され低減する。
【００４９】
なお、上記各実施例では、リブは図９Ａに示すように、断面ほぼＶ字状としたが、図９Ｂに示すように、断面ほぼＵ字状の溝としてもほぼ同様の作用効果を得ることができる。
【００５０】
また、本発明の精神を逸脱しない範囲で種々の設計変更を含むものである。すなわち、スピーカの使用用途で口径や厚み、ボイスコイル径の大きさが様々となるので、それに応じてリブを配置し、性能の最適化を図る。
【図面の簡単な説明】
【００５１】
【図１】Ａは本発明の第１実施例に係るスピーカ用振動板の正面図、Ｂは同上の斜視図を示す。
【図２】図１に示すスピーカ用振動板を組み込んでなるスピーカの概略縦断面図を示す。
【図３】本発明品とリブの無い従来品とを比較した周波数特性図を示す。
【図４】リブを設けた従来品とリブの無い従来品とを比較した周波数特性図を示す。
【図５】本発明の第２実施例に係るスピーカ用振動板の正面図を示す。
【図６】本発明の第３実施例に係るスピーカ用振動板の正面図を示す。
【図７】本発明の第４実施例に係るスピーカ用振動板の正面図を示す。
【図８】本発明の第５実施例に係るスピーカ用振動板の正面図を示す。
【図９】Ａは本発明で用いられるリブの概略縦断面図、Ｂはリブの他の例の概略縦断面図を示す。
【図１０】従来例のスピーカ用振動板の平面図。
【図１１】従来例が組み込まれたスピーカの概略縦断面図。
【図１２】Ａはリブのない従来例のスピーカ用振動板のボイスコイル接合部に放射状にリブを設けた従来品、Ｂはその斜視図を示す。
【符号の説明】
【００５２】
１    スピーカ用振動板
２    センタードーム
２’  円軌跡
２ａ  外周
３    ボイスコイル接合部
４    振動板胴体
５    エッジ
５ａ  フレーム接合部
６    頂部
７、７Ａ、７Ｂ、７Ｃ、７Ｄ    第１のリブ
８、８Ａ、８Ｂ、８Ｃ、８Ｄ    第２のリブ
９、９Ｄ      第３のリブ
１０Ｄ    第４のリブ
１０  ボイスコイル
１１  磁気回路
１２  磁気ギャップ
１３  マグネット
１４  ポールピース
１５  ヨーク兼フレーム
１６  ガスケット
１７  音孔
Ｏ    中心
Ａ    本発明品
Ｂ    従来品
【図１】
2007081901.tif 000003
【図２】
2007081901.tif 000004
【図３】
2007081901.tif 000005
【図４】
2007081901.tif 000006
【図５】
2007081901.tif 000007
【図６】
2007081901.tif 000008
【図７】
2007081901.tif 000009
【図８】
2007081901.tif 000010
【図９】
2007081901.tif 000011
【図１０】
2007081901.tif 000012
【図１１】
2007081901.tif 000013
【図１２】
2007081901.tif 000014
【手続補正書】
【提出日】平成19年1月5日(2007.1.5)
【手続補正１】
【補正対象書類名】特許請求の範囲
【補正対象項目名】全文
【補正方法】変更
【補正の内容】
【特許請求の範囲】
【請求項１】
スピーカ用振動板のセンタードームに、分割共振を分散させ高域周波数特性の音圧を下げるために、センタードームの外周の内側において振動板の背面に向けて突出し、それぞれ少なくとも一端をセンタードームの外周縁に接して直線状に伸びる複数のリブまたは溝を軸対称または非軸対称に設けたことを特徴とするスピーカ用振動板。
【請求項２】
請求項１記載のスピーカ用振動板において、前記複数のリブまたは溝は、互いに等間隔または不等間隔でほぼ平行に配置されたことを特徴とするスピーカ用振動板。
【請求項３】
請求項１記載のスピーカ用振動板において、前記複数のリブまたは溝は２つのリブまたは溝からなり、互いに間隔をあけ非平行で配置されたことを特徴とするスピーカ用振動板。
【請求項４】
請求項１記載のスピーカ用振動板において、前記複数のリブまたは溝は、前記センタードームの中心の周りにほぼ矩形をなすように配置されたことを特徴とするスピーカ用振動板。
【請求項５】
請求項１〜４のいずれかに記載のスピーカ用振動板を備えてなることを特徴とするスピーカ。
【手続補正２】
【補正対象書類名】明細書
【補正対象項目名】０００９
【補正方法】変更
【補正の内容】
【０００９】
請求項１記載の発明は、スピーカ用振動板のセンタードームに、分割共振を分散させ高域周波数特性の音圧を下げるために、センタードームの外周の内側において振動板の背面に向けて突出し、それぞれ少なくとも一端をセンタードームの外周縁に接して直線状に伸びる複数のリブまたは溝を軸対称または非軸対称に設けたことを特徴とする。
請求項２記載の発明は、請求項１記載のスピーカ用振動板において、前記複数のリブまたは溝は、互いに等間隔または不等間隔でほぼ平行に配置されたことを特徴とする。
請求項３記載の発明は、請求項１記載のスピーカ用振動板において、前記複数のリブまたは溝は２つのリブまたは溝からなり、互いに間隔をあけ非平行で配置されたことを特徴とする。
請求項４記載の発明は、請求項１記載のスピーカ用振動板において、前記複数のリブまたは溝は、前記センタードームの中心の周りにほぼ矩形をなすように配置されたことを特徴とする。
請求項５記載の発明は、請求項１〜４のいずれかに記載のスピーカ用振動板を備えてなることを特徴とするスピーカである。
【手続補正３】
【補正対象書類名】明細書
【補正対象項目名】００４８
【補正方法】変更
【補正の内容】
【００４８】
第２〜第４実施例では各リブは非軸対称で、かつセンタードーム２の中心Oから放射状にならない方向に延びている。これらの第２〜第４実施例においても、第１実施例とほぼ同様の作用効果を得ることができる。すなわち、各リブを追加し、センタードーム２を非軸対称形状とすることで、軸対称モードの分割共振が分散され低減する。